(57)【要約】【課題】量産可能な安価で破損しにくい通信用保安器を実現すること。【解決手段】図８は、本実施例の通信用保安器の出力コネクタ１４とその周辺の軸方向に沿った断面を示す断面図である。例えばＦ形接栓座等で構成される出力コネクタ１４を確実に固定できる程度に固くナット４０を締めることにより、各部品は全て一括して締結される。本図８の断面図より、緩衝部材４４が適当な圧力により適度に変形していることが判る。即ち、貫通コンデンサＣ２は、リングプレート４２に形成されたリング形状の凸部と緩衝部材４４との間に配置されて、適度に圧着されて固定されている。例えばこの様な構成により、貫通コンデンサＣ２は、適度な圧力により圧着されるため、破損する恐れがない。また、貫通コンデンサＣ２の底面及び上面は、緩衝部材４４やリングプレート４２の作用により、それぞれ電気的に良好に所定の各回路に接続することができる。【選択図】　図８
2004147399.tif 000002
【特許請求の範囲】
【請求項１】
パソコンやテレビ等の屋内通信機器と、有線通信網又は屋外アンテナとを接続する引き込み線路等に有用な雷サージ保護用の通信用保安器において、
内側及び外側の各側壁が略円筒形のリング形状のセラミックス材料から成る誘電体と、前記誘電体の上面及び底面に配置された計２枚のリング形状の電極とから構成された貫通コンデンサを出力コネクタの近傍に有し、
前記貫通コンデンサは、
リング形状の前記誘電体と回転軸が略一致する略同径のリング型の導電性の緩衝部材を介して、
前記回転軸の方向の圧力で締め付けられて固定されると共に、
前記出力コネクタの外部導体又は接地回路に電気的に接続されている
ことを特徴とする通信用保安器。
【請求項２】
前記緩衝部材は、メッシュ状或いは繊維状の金属材料を少なくとも表面に有する
ことを特徴とする請求項１に記載の通信用保安器。
【請求項３】
前記緩衝部材は、金属メッシュ材を表面に有する、中空リング形状のゴム系又は樹脂系のチューブから成る
ことを特徴とする請求項２に記載の通信用保安器。
【請求項４】
前記緩衝部材は、綿状、スポンジ状、又はフエルト状を成す金属繊維の集合体から成る
ことを特徴とする請求項２に記載の通信用保安器。
【請求項５】
前記緩衝部材は、ゴム系又は樹脂系の導電性材料から成る
ことを特徴とする請求項１に記載の通信用保安器。
【請求項６】
前記緩衝部材は、金属製のつる巻きバネの前後両端を互いに接続することにより形成されている
ことを特徴とする請求項１に記載の通信用保安器。
【請求項７】
前記貫通コンデンサは、前記緩衝部材を介して、前記接地回路に電気的に接続されており、
前記緩衝部材は、前記回転軸と回転軸が略一致する略リング形状の絶縁体から成るスペーサを介して、前記出力コネクタの外部導体に対して絶縁されて位置決めされている
ことを特徴とする請求項１乃至請求項６の何れか１項に記載の通信用保安器。
【請求項８】
前記貫通コンデンサは、前記圧力を付与する締結用のナットにより、薄板状の金属製のリングプレートを介して、圧着されて固定されている
ことを特徴とする請求項１乃至請求項７の何れか１項に記載の通信用保安器。
【請求項９】
前記電極の半径は、前記ナットの最大外径よりも大きい
ことを特徴とする請求項８に記載の通信用保安器。
【発明の詳細な説明】
【０００１】
【発明の属する技術分野】
本発明は、ビデオ、テレビ、コンバータ、或いはパソコン等の屋内通信機器と、有線通信網又は屋外アンテナとを接続する引き込み線路等に有用な落雷アース機能を奏する通信用保安器に関する。
【０００２】
【従来の技術】
通信用の保安器としては、例えば、下記の特許文献１に記載のもの等が一般に広く知られている。
図１０、図１１、及び図１２は、特許文献１に記載されている通信用保安器の具体的な構成形態を示すものである。
【０００３】
例えば、図１０は特許文献１に記載されている従来の通信用保安器の主要部（外側）の斜視図であり、ベース体１の中央部１０に設けられた略眼鏡型の固定部材（カサキャップ）には、入力コネクタ１３と出力コネクタ１４がそれぞれ配置されている。符号１１はベース体１の側壁部を示している。
また、図１１は、この従来の通信用保安器の回路図である。符号ＡＲＲは避雷器を示しており、符号Ｃ２は貫通コンデンサを示している。
【０００４】
更に、図１２は、上記の従来の通信用保安器の主要部を図１０の裏側から見た、通信用保安器の中側の正面図である。この通信用保安器の貫通コンデンサＣ２には、貫通コンデンサが使用されている。
【０００５】
【特許文献１】
実開平１−１２３４３０号公報　（図１〜図５、図８）
【特許文献２】
実開昭５５−９１２７６号公報
【特許文献３】
実公昭５２−４８６５１号公報
【特許文献４】
特開昭６３−１８５２３１号公報
【０００６】
【発明が解決しようとする課題】
上記の従来の通信用保安器においては、例えば図１１、図１２に例示する様な金属ケースに封入されたリング形状の貫通コンデンサＣ２が使用されているが、この様な特殊な仕様を有するコンデンサは、現在、需要の急激な低下に伴って、部品選択や価格選択の自由度が従来よりも大幅に低くなってきている。このため、この様なリング形状の貫通コンデンサの使用は、通信用保安器の設計の自由度の低下や部品コストの上昇を招く要因となってきている。
【０００７】
また、この様な貫通コンデンサでは、誘電体の部分に通常セラミックス材料が用いられるが、金属ケースに封入されていない比較的安価な貫通コンデンサ（即ち、上面及び底面に計２枚のリング形状の電極を備えたセラミックス材料）を組み付けようとすると、このセラミックス材料が非常に割れ易いため、高く安定した生産性を得ることが難しくなる。
【０００８】
より詳細には、以下の様な問題がある。即ち、この様な通信用保安器の構造としては、少数のナットやネジを締めるだけで簡単に全体を組み立てることができる構造が望ましい。しかしながら、上記のベース体１等の各部品に対しては、価格上高い寸法精度を要求することは難しいため、金属ケースに封入されていない上記の様なセラミックス材料は、ナットの締め付け圧力によって部分的に不均一な圧力を受けてしまい、非常に破損し易い。
また、ナットの締め付け圧力を弱く加減すると、例えばＦ形接栓座等で構成される上記の出力コネクタ１４の締結状態に不具合が生じる恐れがある。
【０００９】
これらの事情により、金属ケースに封入されたリング形状の貫通コンデンサの利用が困難となるにつれて、現状程度或いは現状以上に安価で、破損しにくい通信用保安器を大量生産する（多数計画的に製造する）ことは、今後益々困難と成りつつある。
【００１０】
本発明は、上記の課題を解決するために成されたものであり、その目的は、工業製品として量産可能な安価で破損しにくい通信用保安器を実現することである。
【００１１】
【課題を解決するための手段、並びに、作用及び発明の効果】
上記の課題を解決するためには、以下の手段が有効である。
即ち、本発明の第１の手段は、パソコンやテレビ等の屋内通信機器と有線通信網又は屋外アンテナとを接続する引き込み線路等に有用な雷サージ保護用の通信用保安器において、内側及び外側の各側壁が略円筒形のリング形状のセラミックス材料から成る誘電体とこの誘電体の上面及び底面に配置された計２枚のリング形状の電極とから構成された貫通コンデンサを出力コネクタの近傍に配置し、このリング形状の誘電体と回転軸が略一致する略同径のリング型の導電性の緩衝部材を介して、上記の貫通コンデンサを、回転軸の方向の圧力で締め付けて固定すると共に、出力コネクタの外部導体又は接地回路に電気的に接続することである。
【００１２】
上記の構成に従えば、ベース体１等の各部品が高い寸法精度を有しない場合においても、金属ケースに封入されていないセラミックス材料は、上記の緩衝部材の作用により、ナットの締め付け圧力によって部分的に不均一な圧力を受けることがない。このため、比較的安価な貫通コンデンサ（即ち、上面及び底面に計２枚のリング形状の電極を備えたセラミックス材料）を用いても、コンデンサが破損する恐れが無くなり、よって、上記の構成に従う通信用保安器は、少数のナットやネジを締めるだけで簡単に全体を組み立てることができる。
【００１３】
また、この様な構成により、締結用のナットの締め付け圧力を弱く加減する必要が無くなるため、例えばＦ形接栓座等で構成される上記の出力コネクタ１４の締結状態に不具合が生じる恐れも無くなる。
【００１４】
また、本発明の第２の手段は、上記の第１の手段において、上記の緩衝部材を、メッシュ状或いは繊維状の金属材料を少なくとも表面に有する部品で構成することである。
例えばこの様な金属材料を緩衝部材の少なくとも表面に備えることにより、緩衝部材の導電性を確保することができる。また、メッシュ状或いは繊維状の金属材料は、変形が容易或いは自在であるので、変形することが期待される緩衝部材の少なくとも表面を構成する上で都合が良い。また、メッシュ状或いは繊維状の金属材料には、適度な弾性（緩衝作用）を持たせることも可能なため、緩衝部材の少なくとも一部分を構成する上で都合が良い。
【００１５】
また、本発明の第３の手段は、上記の第２の手段において、金属メッシュ材を表面に有する、中空リング形状のゴム系又は樹脂系のチューブから、上記の緩衝部材を構成することである。
中空リング形状のゴム系又は樹脂系のチューブから、緩衝部材の内部を形成することにより、緩衝部材全体としての適度な弾性を容易に確保することができる。圧力緩衝作用を良好に奏すべき上記の緩衝部材は、例えばこの様な形態で形成することができる。
【００１６】
また、本発明の第４の手段は、上記の第２の手段において、綿状、スポンジ状、又はフエルト状を成す金属繊維の集合体から、上記の緩衝部材を構成することである。
圧力緩衝作用を良好に奏すべき上記の緩衝部材は、例えばこの様な形態でも形成することができる。
【００１７】
また、本発明の第５の手段は、上記の第１の手段において、ゴム系又は樹脂系の導電性材料から、上記の緩衝部材を構成することである。
この様な部品の形状や各部の寸法は、その材料の弾性や導電性に応じて適当に決定すれば良い。この様な部品は、例えば、中空リング形状の導電性ゴム等を用いて形成することができる。圧力緩衝作用を良好に奏すべき上記の緩衝部材は、例えばこの様な形態でも形成することができる。
【００１８】
また、本発明の第６の手段は、上記の第１の手段において、金属製のつる巻きバネの前後両端を互いに接続することにより、上記の緩衝部材を構成することである。
ただし、上記の金属製のつる巻きバネとは、金属線を螺旋状或いはコイル状に巻いたもののことである。
【００１９】
この様なつる巻きバネを形成する導線は、その材料、太さ、巻き付ける際の螺旋半径、ピッチ（巻き数）等を好適化或いは最適化することにより形成する。これにより、この様なつる巻きバネを横置きにすれば、圧力緩衝作用を螺旋直径方向に作用させることができる。圧力緩衝作用を良好に奏すべき上記の緩衝部材は、例えばこの様な形態でも形成することができ、この構成によれば、上記の緩衝部材を、例えば擬似的な略中空リング形状等に形成することができる。
【００２０】
また、本発明の第７の手段は、上記の第１乃至第６の何れか１つの手段において、上記の緩衝部材を介して貫通コンデンサを接地回路に電気的に接続し、上記の回転軸と回転軸が略一致する略リング形状の絶縁体から成るスペーサを介して、緩衝部材を出力コネクタの外部導体に対して絶縁して位置決めすることである。
【００２１】
上記の緩衝部材を接地回路側に接続する場合、この様な構成により、出力コネクタの外部導体に対する、緩衝部材とその周辺導体の絶縁が良好に保たれると共に、出力コネクタの外部導体に対する緩衝部材等の正確な位置決めが良好かつ容易に実施可能と成る。
【００２２】
また、本発明の第８の手段は、上記の第１乃至第７の何れか１つの手段において、上記の圧力を付与する締結用のナットにより、薄板状の金属製のリングプレートを介して、貫通コンデンサを圧着して固定することである。
【００２３】
この様な構成に従えば、薄板状の金属製のリングプレートの内径、外径、厚さ等の形状や、或いは締結用のナットの最大外径等の寸法によって、リングプレートの弾性を適度に調整することができるので、この作用により、締結用のナットを固く締めた際に生じる貫通コンデンサの圧着力をより正確に調整することが可能或いは容易となる。
【００２４】
このため、貫通コンデンサに接触させる緩衝部材を設置すべき箇所は、上記のリングプレートとは直接接触しない貫通コンデンサの片側だけで十分となるので、本構成により、緩衝部材の部品点数を最小限（即ち、１個）に抑えることができる。
【００２５】
また、本発明の第９の手段は、上記の第８の手段において、上記のコンデンサの電極の半径を、上記の圧力を付与する締結用のナットの最大外径よりも大きくすることである。
この様な構成に従えば、締結用のナットで直に締め付けられるリングプレートの部位を比較的小さく限定することができるので、リングプレートの緩衝作用を比較的大きく引き出すことができる。上記のリングプレートの弾性を適度に調整する方法としては、例えばこの様な形態が考えられる。
以上の本発明の手段により、前記の課題を効果的、或いは合理的に解決することができる。
【００２６】
【発明の実施の形態】
以下、本発明を具体的な実施例に基づいて説明する。ただし、本発明は以下に示す実施例に限定されるものではない。
〔実施例〕
【００２７】
図１は、本実施例の通信用保安器の主要部の組み立て順序を示す斜視図（前半）である。略眼鏡型の固定部材であるカサキャップ１８は、ベース体１の略平坦な中央部１０に配置され、その２つの孔部には、入力コネクタ１３と出力コネクタ１４がそれぞれ挿入される。入力コネクタ１３は更に、対応するベース体１の孔部と、サブシャーシ１９の孔部に次々と挿入されて、入力コネクタ締結用のナット５０により締結される。
サブシャーシ１９は、図１１にも例示される様な避雷器ＡＲＲや、コンデンサＣ１、コイルＬ１，Ｌ２等を固定することができる。
【００２８】
図２は、本実施例の通信用保安器の主要部の組み立て順序を示す斜視図（後半）である。出力コネクタ１４は、サブシャーシ１９の図中手前の円形の孔部に挿入された後、リング形状のカバー４８、スペーサ４６、緩衝部材４４、貫通コンデンサＣ２、リングプレート４２の各孔部にそれぞれ順次挿入されて、最後に出力コネクタ締結用のナット４０により締結される。
【００２９】
図３に、本実施例の通信用保安器の貫通コンデンサＣ２の底面の平面図（ａ）と、上記の緩衝部材４４の回転対称軸を含むリング断面を示す断面図（ｂ）を示す。セラミックス材料から成る貫通コンデンサＣ２の誘電体４３ａの底面は略平坦になっており、電極４３ｂは、このセラミックス材料のリングの帯の略中央に電導性の金属塗料を塗布することにより形成されている。
【００３０】
また、図示していないが、セラミックス材料の上面に配置される電極についても、同様に形成されている。
また、緩衝部材４４は、中空のリング形状のゴム系チューブ４４ａの表面を金属メッシュ材４４ｂで覆うことにより形成されている。図４に、緩衝部材４４の形成例を例示する。この緩衝部材４４は、例えば本図４の様に、ゴム系チューブ４４ａに金属メッシュ材４４ｂを被せた後、そのゴム系チューブ４４ａの両端を熱収縮性を有する透明樹脂等の接続部材（或いは、ビニルテープや接着剤等）で互いに接続することによりリング状に形成することができる。
【００３１】
図５、図６、図７、図８は、それぞれ本実施例の通信用保安器の主要部の組み立て工程における中間状態１〜４を示す斜視図である。
合成樹脂より成るスペーサ４６は、出力コネクタ１４の外部導体に対する、緩衝部材４４とその周辺導体の絶縁を良好に保つと共に、出力コネクタ１４の外部導体に対する緩衝部材４４や貫通コンデンサＣ２の正確な位置決めを容易にしている。リングプレート４２の外周近傍には、リング形状の凸部が見られる（図８）。
【００３２】
図９は、本実施例の通信用保安器の出力コネクタ１４とその周辺の軸方向に沿った断面を示す断面図である。例えばＦ形接栓座等で構成される出力コネクタ１４を確実に固定できる程度に固くナット４０を締めることにより、図５〜図８に示される上記の各部品は全て一括して締結される。
本図９の断面図より、緩衝部材４４が適当な圧力により適度に変形していることが判る。即ち、貫通コンデンサＣ２は、リングプレート４２に形成された上記のリング形状の凸部と緩衝部材４４との間に配置されて、適度な圧力により圧着されて固定されている。
【００３３】
例えばこの様な構成により、貫通コンデンサＣ２は、適度な圧力により圧着されるため、破損する恐れがない。また、貫通コンデンサＣ２の底面及び上面は、緩衝部材４４やリングプレート４２の作用により、それぞれ電気的に良好に所定の各回路に接続することができる。
【図面の簡単な説明】
【図１】本発明の通信用保安器の主要部の組み立て順序を示す斜視図（前半）。
【図２】本発明の通信用保安器の主要部の組み立て順序を示す斜視図（後半）。
【図３】本発明の通信用保安器の貫通コンデンサＣ２の底面の平面図（ａ）と、その緩衝部材４４の回転対称軸を含むリング断面を示す断面図（ｂ）。
【図４】緩衝部材４４の形成例を例示する斜視図。
【図５】本発明の通信用保安器の主要部の組み立て工程における中間状態１を示す斜視図。
【図６】本発明の通信用保安器の主要部の組み立て工程における中間状態２を示す斜視図。
【図７】本発明の通信用保安器の主要部の組み立て工程における中間状態３を示す斜視図。
【図８】本発明の通信用保安器の主要部の組み立て工程における中間状態４を示す斜視図。
【図９】本発明の通信用保安器の出力コネクタ１４とその周辺の軸方向に沿った断面を示す断面図。
【図１０】従来の通信用保安器の主要部（外側）の斜視図。
【図１１】従来の通信用保安器の回路図。
【図１２】従来の通信用保安器の主要部（中側）の正面図。
【符号の説明】
１　　…　ベース体
１０　…　ベース体１の中央部
１１　…　ベース体１の側壁部
１３　…　入力コネクタ
１４　…　出力コネクタ
１８　…　カサキャップ
１９　…　サブシャーシ
４０　…　ナット（出力コネクタ締結用）
４２　…　リングプレート
Ｃ２　…　貫通コンデンサ
４３ａ…　誘電体
４３ｂ…　電極
４４　…　緩衝部材
４４ａ…　ゴム系チューブ
４４ｂ…　金属メッシュ材
４６　…　スペーサ
４８　…　カバー
５０　…　ナット（入力コネクタ締結用）
【図１】
2004147399.tif 000003
【図２】
2004147399.tif 000004
【図３】
2004147399.tif 000005
【図４】
2004147399.tif 000006
【図５】
2004147399.tif 000007
【図６】
2004147399.tif 000008
【図７】
2004147399.tif 000009
【図８】
2004147399.tif 000010
【図９】
2004147399.tif 000011
【図１０】
2004147399.tif 000012
【図１１】
2004147399.tif 000013
【図１２】
2004147399.tif 000014